(57)【要約】【課題】必要に応じて照明器具のグラデーション制御を自動で行なう照明システムを提供すること。【解決手段】実施形態に係る照明システム１は、任意の場所を照明する複数の照明装置９、１０と、照明装置９、１０の制御を行う上位装置３とを備える。また、照明システム１は、照明システム１が設置された場所に係る情報を収集する。そして、照明システム１は、点灯を指示された中央エリアの照明装置の周辺に設置された周辺エリアの照明装置を、中央エリアの照明装置の調光度よりも低い調光度で点灯させるグラデーション制御を、収集した情報に応じて実行する。【選択図】図１
2015060818.tif 000002
【特許請求の範囲】
【請求項１】
任意の場所を照明する複数の照明装置と、前記照明装置の制御を行う制御装置とを具備する照明システムであって；
前記任意の場所に係る情報を収集する収集部と；
点灯を指示された第１の照明装置の周辺に設置された第２の照明装置を、前記第１の照明装置の調光度よりも低い調光度で点灯させる周辺制御を、前記収集部が収集した情報に応じて実行する制御部と；
を具備する照明システム。
【請求項２】
前記収集部は、前記照明システムが設置された場所の時刻を示す時刻情報を収集し、
前記制御部は、前記収集部が収集した時刻情報に応じて、前記周辺制御を実行する請求項１に記載の照明システム。
【請求項３】
前記収集部は、外光の明るさを示す照度情報を収集し、
前記制御部は、前記収集部が収集した照度情報に応じて、前記周辺制御を実行する請求項１または２に記載の照明システム。
【請求項４】
それぞれ異なる場所の照度を測定する複数の測定部を備え；
前記収集部は、各測定部が測定した照度を示す照度情報を収集し、
前記制御部は、前記収集部が収集した複数の照度情報に応じて、前記周辺制御を実行する請求項１〜３のいずれか１つに記載の照明システム。
【請求項５】
前記収集部は、前記第１の照明装置が設置された領域にいる人の数を示す人数情報を収集し、
前記制御部は、前記収集部が収集した人数情報に応じて、前記周辺制御を実行する請求項１〜４のいずれか１つに記載の照明システム。
【請求項６】
前記収集部は、前記第１の照明装置が設置された領域の広さを示す領域情報を収集し、
前記制御部は、前記収集部が収集した領域情報に応じて、前記周辺制御を実行する請求項１〜５のいずれか１つに記載の照明システム。
【請求項７】
前記制御部は、前記収集部が収集した情報に応じて、前記第１の照明装置または前記第２の照明装置の調光度を変更する請求項１〜６のいずれか１つに記載の照明システム。
【請求項８】
前記制御部は、前記収集部が収集した情報に応じて、点灯させる第２の照明装置の数を変更することを特徴とする請求項１〜７のいずれか１つに記載の照明システム。
【請求項９】
任意の場所を照明する複数の照明装置と、前記照明装置の制御を行う制御装置とを具備する照明システムが実行する前記照明装置の制御方法であって；
前記任意の場所に係る情報を収集する収集工程と；
点灯を指示された第１の照明装置の周辺に設置された第２の照明装置を、前記第１の照明装置の調光度よりも低い調光度で点灯させる周辺制御を、前記収集部が収集した情報に応じて実行する制御工程と；
を実行する制御方法。
【発明の詳細な説明】
【技術分野】
【０００１】
本発明の実施形態は、照明システムおよび照明システムの制御方法に関する。
【背景技術】
【０００２】
近年、複数の照明器具を個別に制御することを可能にする照明システムが知られている。かかる照明システムが実行する制御の一例として、点灯指示を受け付けた照明装置を所定の調光度で点灯させるとともに、点灯させた照明装置の周囲に設置された点灯装置を所定の照度よりも低い調光度で点灯させることで、照度の急激な変化により生じる利用者の不安感を軽減するグラデーション制御が知られている。しかしながら、従来の照明システムは、グラデーション制御を実行するか否かを利用者が必要に応じて設定しなければならないという問題があった。
【先行技術文献】
【非特許文献】
【０００３】
【非特許文献１】“照明器具個別制御システム  T/Flecs（ティーフレックス）  |  照明制御・航空障害灯  |  商品紹介  |  東芝ライテック(株)”、［online］、［平成２５年８月２２日検索］、インターネット＜http://www.tlt.co.jp/tlt/products/system/t_flecs.htm＞
【発明の概要】
【発明が解決しようとする課題】
【０００４】
本発明が解決しようとする課題は、必要に応じて照明器具のグラデーション制御を自動で行なう照明システムを提供することである。
【課題を解決するための手段】
【０００５】
実施形態に係る照明システムは、任意の場所を照明する複数の照明装置と、照明装置の制御を行う制御装置とを備える。また、照明システムは、収集部と、制御部とを備える。収集部は、任意の場所に係る情報を収集する。制御部は、点灯を指示された第１の照明装置の周辺に設置された第２の照明装置を、第１の照明装置の調光度よりも低い調光度で点灯させる周辺制御を、収集部が収集した情報に応じて実行する。
【図面の簡単な説明】
【０００６】
【図１】図１は、第１の実施形態に係る照明システムの構成例を示す図である。
【図２】図２は、第１の実施形態に係る照明システムが照明装置を点灯させる処理の一例を説明する図である。
【図３】図３は、第１の実施形態に係る照明システムが実行するグラデーション制御の一例を説明する図である。
【図４】図４は、第１の実施形態に係る照明システムが照明装置の調光度を変更する処理の一例を説明する図である。
【図５】図５は、第１の実施形態に係る照明システムが点灯させる照明装置の数を変更する処理の一例を説明する図である。
【図６】図６は、第１の実施形態に係る上位装置の機能構成を説明する図である。
【図７】図７は、第１の実施形態に係るグラデーション制御データの一例を説明する図である。
【図８】図８は、第１の実施形態に係る照明装置の構成例を説明する図である。
【図９】図９は、第１の実施形態に係る照明システムが実行する処理の手順を示すフローチャートである。
【発明を実施するための形態】
【０００７】
以下で説明する実施形態に係る照明システム１は、任意の場所を照明する複数の照明装置９、１０と、照明装置９、１０の制御を行う上位装置３とを有する。また、照明システム１は、収集部１６と制御部１８とを有する。収集部１６は、任意の場所に係る情報を収集する。また、制御部１８は、点灯を指示された第１の照明装置の周辺に設置された第２の照明装置を、第１の照明装置の調光度よりも低い調光度で点灯させる周辺制御を、収集部１６が収集した情報に応じて実行する。
【０００８】
また、以下で説明する実施形態に係る収集部１６は、照明システム１が設置された場所の時刻を示す時刻情報を収集する。また、制御部１８は、収集部１６が収集した時刻情報に応じて、周辺制御を実行する。
【０００９】
また、以下で説明する実施形態に係る収集部１６は、外光の明るさを示す照度情報を収集する。また、制御部１８は、収集部１６が収集した照度情報に応じて、周辺制御を実行する。
【００１０】
また、以下で説明する実施形態に係る照明システム１は、それぞれ異なる場所の照度を測定する複数の測定部を有する。また、収集部１６は、各測定部が測定した照度を示す照度情報を収集する。また、制御部１８は、収集部１６が収集した複数の照度情報に応じて、周辺制御を実行する。
【００１１】
また、以下で説明する実施形態に係る収集部１６は、第１の照明装置が設置された領域にいる人の数を示す人数情報を収集する。また、制御部１８は、収集部１６が収集した人数情報に応じて、周辺制御を実行する。
【００１２】
また、以下で説明する実施形態に係る収集部１６は、第１の照明装置が設置された領域の広さを示す領域情報を収集する。また、制御部１８は、収集部１６が収集した領域情報に応じて、周辺制御を実行する。
【００１３】
また、以下で説明する実施形態に係る制御部１８は、収集部１６が収集した情報に応じて、第１の照明装置または第２の照明装置の調光度を変更する。
【００１４】
また、以下で説明する実施形態に係る制御部１８は、収集部１６が収集した情報に応じて、点灯させる第２の照明装置の数を変更する。
【００１５】
以下、図面を参照して、実施形態に係る照明システム１を説明する。なお、実施形態において同一の部位には同一の符号を付し、重複する説明は省略される。
【００１６】
（第１の実施形態）
まず、図１〜図９を用いて、第１の実施形態に係る照明システムについて説明する。
【００１７】
［照明システム１の構成］
図１は、第１の実施形態に係る照明システムの構成例を示す図である。図１に示した照明システム１は、宅内やオフィス等に設置された照明装置の制御や監視を実現するシステムである。例えば、照明システム１は、Ｔ／Ｆｌｅｃｓ（登録商標）等、照明装置の設置された環境の情報をセンサ等で取得し、取得した情報に基づいて、照明装置の制御を行う場合がある。
【００１８】
図１に示した照明システム１は、端末装置２と上位装置３とが接続され、上位装置３と、上位装置３と操作部４、複数の通信部５、６、画像センサ７、照度センサ８が接続される。また、通信部５は、照明装置９と接続される。また、通信部６は、照明装置１０と接続される。また、照明装置９、１０は、任意の場所を照明する照明部である。なお、通信部６は、通信部５と同様の機能を発揮するものとして、以下の説明を省略する。また、照明装置１０は、照明装置９と同様の機能を発揮するものとして、以下の説明を省略する。
【００１９】
また、図１に示す照明システム１が有する操作部４、通信部５、６、照明装置９、１０、画像センサ７、照度センサ８の数は、一例に過ぎず、照明システム１の構成に応じて適宜変更可能である。また、通信部５は、複数の照明装置と接続されてもよい。
【００２０】
端末装置２は、照明システム１の設定を行なう端末装置であり、例えば、ＰＣ（Personal  Computer）、タブレット、携帯端末装置等の端末装置である。また、端末装置２は、利用者の操作により、上位装置３に対し、照明システム１の各種設定を行なう。例えば、端末装置２は、照明システム１が有する照明装置と、照明装置の制御指示を受け付ける操作部との対応を設定する。照明システム１は、操作部４と照明装置９とが対応付けされた場合は、操作部４が受け付けた制御指示に従って、照明装置９の点灯や消灯を行なう。
【００２１】
なお、端末装置２は、照明システム１が設置された部屋の広さ、または、照明システム１が設置された部屋のレイアウト情報を上位装置３に対して設定する。例えば、端末装置２は、照明システム１が設置された部屋がパーティション等で複数の領域に区切られている場合は、パーティションの配置を示すレイアウト情報を上位装置３に対して設定する。
【００２２】
上位装置３は、照明システム１の制御を行なう制御装置である。例えば、上位装置３は、操作部４と照明装置９とが対応付けられた際に、操作部４が利用者からの操作指示を受け付けると、操作指示に従って照明装置９を制御する制御信号を出力する。なお、上位装置３は、照明器具の制御を行うために、任意の種別の制御方式を利用することができる。例えば、上位装置３は、照明器具を制御するために、Ｔ／Ｆｌｅｃｓ（登録商標）、ＤＡＬＩ（Digital  Addressable  Lighting  Interface）、ＰＷＭ（Pulse  Width  Modulation）等、様々な制御方式に対応する制御信号を出力する。
【００２３】
操作部４は、照明システム１が有する照明装置９、１０に対する制御指示を利用者から受け付ける。例えば、操作部４は、照明装置９、１０の操作パネルであり、照明装置９、１０の点灯、消灯、調光度の変更等を利用者から受け付けると、受け付けた点灯、消灯、調光度の変更、色の変更等を示す制御指示を上位装置３に出力する。
【００２４】
通信部５は、上位装置３と照明装置９との通信を中継する中継装置である。例えば、通信部５は、上位装置３から、照明装置９に対する制御を示す制御信号を受信すると、受信した制御信号を、照明装置９に出力する。また、通信部５は、照明装置９から、制御を終了した旨を示す応答信号や、照明装置９の状態を示す通知信号を受信した場合は、受信した応答信号や通知信号を上位装置３へ送信する。この結果、上位装置３は、照明装置９の制御が完了した旨や、照明装置９の調光状態を確認できる。
【００２５】
画像センサ７は、照明システム１が設置された領域を撮影する画像センサであり、例えば、ＣＭＯＳ（Complementary  Metal-Oxide  Semiconductor）やＣＣＤ（Charge-Coupled  Device）イメージセンサ等の撮像装置である。画像センサ７は、上位装置３からの撮像指示を受信した場合等、所定のタイミングで、照明システム１が設置された領域を所定時間の間連続して撮影し、撮影した動画データを解析し、人の有無および人数を判定し、判定結果を上位装置３へ出力する。
【００２６】
照度センサ８は、照明システム１が設置された領域の照度を取得するセンサである。例えば、照度センサ８は、照明システム１が設置された部屋に設置された窓の近傍に設置され、照明システム１が設置された部屋に入る外光の照度を測定する。そして、照度センサは、測定した照度を示す照度情報を上位装置３に出力する。
【００２７】
照明装置９は、例えば、宅内やオフィス等に設置された照明装置であり、交換可能な照明である。例えば、照明装置９は、ＬＥＤ（Light  Emitting  Diode）等の照明器具と、照明器具の制御を行なう電源制御部とを有し、通信部５から受信した制御信号に従って、電源制御部が照明器具を制御することで、点灯、消灯、照度の変更、色の変更等を行なう。
【００２８】
［照明システムによる照明装置の制御］
次に、図２、図３を用いて、照明システム１が実行するグラデーション制御について説明する。図２は、第１の実施形態に係る照明システムが照明装置を点灯させる処理の一例を説明する図である。なお、図２に示す例では、照明装置を設置するレイアウトの一例として、Ｘ軸方向に６つ、Ｙ軸方向に６つの計３６個の照明装置を設置する例について記載した。また、図２に示す例では、消灯する照明装置を白抜きの四角で示し、点灯する照明装置を黒塗りの四角で示した。
【００２９】
例えば、照明システム１は、図２中（Ａ）に示すように、Ｘ軸方向に２つ、Ｙ軸方向に２つの計４つの照明装置を１つのグループとし、各照明装置のグループを１つの操作部と対応付ける。そして、照明システム１は、図２中（Ｂ）に示す照明装置のグループと対応付けられた操作部が、利用者から点灯指示を受け付けた場合は、図２中（Ｂ）に示す４つの照明装置を点灯させる。
【００３０】
ここで、夜間等、外光が暗い際に、図２中（Ｂ）に示す照明装置のみを点灯させた場合は、照明される範囲の照度と照明されない範囲の照度とが急激に変化するため、利用者に孤独感や不安感を与える恐れがある。そこで、照明システム１は、点灯する第１の照明装置の周囲に設置された第２の照明装置を、第１の照明装置よりも低い調光度で点灯させるグラデーション制御を実行する。
【００３１】
図３は、第１の実施形態に係る照明システムが実行するグラデーション制御の一例を説明する図である。なお、図３には、図２と同様に、Ｘ軸方向に６つ、Ｙ軸方向に６つの計３６個の照明装置を設置する例について記載し、点灯する照明装置を照度に応じた色を付した四角で示した。例えば、照明システム１は、図３中（Ｃ）に示す中央エリアの照明装置が点灯している場合は、点灯する照明装置と隣接する照明装置、すなわち図３中（Ｄ）に示す周辺エリアの照明装置を、図３中（Ｃ）に示す中央エリアの照明装置よりも低い調光度で点灯させる。このため、照明システム１は、照度の急激な変化を軽減するので、利用者の孤独感や不安感を軽減する。
【００３２】
ここで、従来の照明システムでは、端末装置２を介して、利用者がグラデーション制御を実行するか否かを必要に応じて設定しなければならならず、グラデーション制御の有効化や無効化に手間がかかった。そこで、照明システム１が有する上位装置３は、以下の処理を実行する。まず、上位装置３は、照明システム１が照明する場所、すなわち、照明システム１が設置された場所に係る情報を収集する。そして、上位装置３は、収集した情報に応じて、グラデーション制御を実行する。
【００３３】
このため、照明システム１は、必要に応じてグラデーション制御を実行することができる。例えば、夜間等照明装置が点灯していない範囲の明るさが暗い場合には、照明装置が点灯する範囲と点灯しない範囲とで照度が急激に変化する。そこで、照明システム１は、現時刻を示す時刻情報を収集し、収集した時刻情報が示す時刻が夜間の時間帯である場合は、グラデーション制御を実行する。この結果、照明システム１は、必要に応じ、グラデーション制御を自動で実行するので、設定の手間を省くとともに、利用者の不安感や孤独感を軽減することができる。
【００３４】
［照明システム１が収集する情報について］
ここで、照明システム１は、照明システム１が設置された場所に係る情報であれば、任意の情報に応じて、グラデーション制御を実行すればよい。そこで、以下の説明では、照明システム１が収集する情報の一例について説明する。なお、実施形態は、以下の例示に限定されるものではなく、グラデーション制御を実行するか否かの判定材料となる情報であれば、任意の情報に応じてグラデーション制御を実行すればよい。
【００３５】
例えば、上位装置３は、照明システム１が設置された場所の時刻を収集する。そして、上位装置３は、時刻が夕方の時間帯（例えば、午後４時から午後７時）、夜間の時間帯（例えば、午後７時から午後１０時）、深夜の時間帯（例えば、午後１０時から午前４時）、早朝の時間帯（例えば、午前４時から午前７時）に含まれる場合には、グラデーション制御を実行する。一方、上位装置３は、時刻が朝の時間帯（例えば、午前７時から午前１０時）、昼間の時間帯（たとえば、午前１０時から午後４時）に含まれる場合は、グラデーション制御を行なわずに、通常の制御を行なう。かかる処理を実行することで、照明システム１は、タイムスケジュールに応じて、グラデーション制御を実行できる。
【００３６】
また、例えば、上位装置３は、照明システム１が設置された部屋に入る外光の照度を示す照度情報を照度センサ８から収集する。そして、上位装置３は、収集した照度情報が示す照度が所定の閾値よりも低い場合は、グラデーション制御を実行し、照度情報が示す照度が所定の閾値よりも高い場合は、グラデーション制御を行なわずに、通常の制御を行なう。かかる処理を実行することで、照明システム１は、外光が暗い場合等、照明装置の一部を点灯した際に、照度が急激に変化する際に、グラデーション制御を実行するので、照度の急激な変化を軽減する結果、利用者の不安感や孤独感を軽減できる。また、照明装置の一部のみを点灯させる場合に比べて周囲が明るくなるため、同じ机上面照度であっても空間を明るく感じるようにすることができる。
【００３７】
また、例えば、画像センサ７は取得した画像中で移動する物体を特定し、特定した物体の数を上位装置３へ送信する。上位装置３は、画像センサ７から受信した数に基づいて、照明システム１が設置された部屋にいる人の数を算出する。すなわち、上位装置３は、照明システム１が設置された部屋にいる人の数を示す情報を収集する。そして、上位装置３は、算出した人の数が所定の閾値よりも少ない場合は、グラデーション制御を実行し、算出した人の数が所定の閾値より多い場合は、グラデーション制御を行なわずに通常の制御を行なう。かかる処理を実行することで、照明システム１は、人が少ない場合にグラデーション制御を実行することで、利用者の不安感や孤独感を軽減できる。
【００３８】
また、例えば、上位装置３は、レイアウト情報から点灯する照明装置が照明する領域の広さを示す情報を収集する。例えば、上位装置３は、照明システム１が設置された部屋にパーティション等の障害物が存在しない場合は、端末装置２が設定したレイアウト情報から、照明システム１が設置された部屋の広さを識別する。また、上位装置３は、照明システム１が設置された部屋がパーティション等の障害物で区切られている場合は、点灯する照明装置が設置された領域の広さを識別する。そして、上位装置３は、識別した領域の広さが所定の閾値よりも広い場合は、グラデーション制御を実行し、識別した領域の広さが所定の閾値よりも狭い場合は、グラデーション制御を行なわずに所定の制御を行なう。このため、照明システム１は、点灯する照明装置が照明する領域の広さに応じて、グラデーション制御の可否を判定できる。
【００３９】
なお、照明システム１は、複数の情報に応じて、グラデーション制御を実行してもよい。例えば、照明システム１は、外光の照度が所定の閾値以下であり、かつ、点灯する照明装置が設置された部屋に居る人の数が所定の閾値以下である場合には、グラデーション制御を実行してもよい。また、照明システム１は、現時刻が夜間の時間帯に含まれ、かつ、点灯する照明装置が設置された部屋に居る人の数が所定の閾値以下である場合には、グラデーション制御を実行してもよい。また、照明システム１は、現時刻が昼間の時間帯に含まれ、かつ、外光の照度が所定の閾値以下である場合は、グラデーション制御を実行してもよい。このように、照明システム１は、複数の情報に応じてグラデーション制御を実行するので、効果的にグラデーション制御を実行することができる。
【００４０】
［照明システム１が実行するグラデーション制御について］
また、照明システム１は、収集した情報に応じて、グラデーション制御の対象となる照明装置の調光度を変更してもよい。詳細には、照明システム１は、収集した情報に応じて、周辺エリアの照明装置の調光度を変更してもよい。また、照明システム１は、収集した情報に応じて、周辺エリアの照明装置の調光度だけではなく、中央エリアの照明装置の調光度を変更してもよい。
【００４１】
例えば、図４は、第１の実施形態に係る照明システムが照明装置の調光度を変更する処理の一例を説明する図である。なお、図４に示す例では、外光の明るさに応じて、グラデーション制御の対象となる照明装置の調光度を変更する処理の一例について記載した。例えば、照明システム１は、外光が第１の閾値よりも暗くなった場合は、図４中（Ｅ）に示すように、点灯を指示された中央エリアの照明装置の調光度を５０パーセントに設定する。また、照明システム１は、図４中（Ｆ）に示すように。中央エリアの周囲に配置された周辺エリアの照明装置の調光度を１０パーセントに設定する。
【００４２】
また、照明システム１は、外光が第１の閾値よりも低い第２の閾値よりも暗くなった場合は、図４中（Ｇ）に示すように、中央エリアの照明装置の調光度を７０パーセントに設定する。また、照明システム１は、図４中（Ｈ）に示すように、周辺エリアの照明装置の調光度を２０パーセントに設定する。
【００４３】
なお、照明システム１は、外光の明るさだけではなく、取得した時刻が含まれる時間帯、照明システム１が設置された場所にいる人の数、中央エリアの照明装置が照明する領域の広さ等に応じて、グラデーション制御の対象となる照明装置の調光度を変更してもよい。かかる処理を実行することで、照明システム１は、利用者の不安感や孤独感を効果的に軽減するグラデーション制御を実行することができる。
【００４４】
また、照明システム１は、収集した情報に応じて、グラデーション制御の対象となる照明装置の数を変更してもよい。詳細には、照明システム１は、収集した情報に応じて、周辺エリアの照明装置の数を変更してもよい。
【００４５】
例えば、図５は、第１の実施形態に係る照明システムが点灯させる照明装置の数を変更する処理の一例を説明する図である。なお、図５に示す例では、第１の照明装置が照明する領域の広さに応じて、第２の照明装置の数を変更する処理の例について記載した。例えば、図５中（Ｉ）に示す例では、照明システム１は、図５中（Ｊ）に示すように、中央エリアの照明装置が点灯された場合は、中央エリアと隣接する照明装置を点灯させる。
【００４６】
一方、図５中（Ｋ）に示す例では、図５中（Ｌ）に示す中央エリアの照明装置が照明する領域が、図５中（Ｉ）に示す領域よりも広い。かかる場合は、照明システム１は、図５中（Ｍ）に示すように、中央エリアの照明装置と隣接する第１の周辺エリアの照明装置を点灯させるとともに、図５中（Ｎ）に示すように、第２の周辺エリアと隣接する第３の周辺エリアの照明装置を点灯させる。すなわち、照明システム１は、周辺エリアを拡大し、中央エリアの照明装置よりも低い調光度で点灯させる周辺エリアの照明装置の数を増やす。また、照明システム１は、第１の周辺エリアの照明装置に対し、中央エリアの照明装置よりも低い調光度を設定し、第２の周辺エリアの照明装置に対し、第１の周辺エリアの照明装置よりも低い調光度を設定する。
【００４７】
なお、照明システム１は、中央エリアの照明装置が照明する領域の広さだけではなく、取得した時刻が含まれる時間帯、外光の明るさ、照明システム１が設置された場所にいる人の数等に応じて、点灯させる照明装置の数を変更してもよい。このように、照明システム１は、収集した情報に応じて、第２の照明装置の数を変更するので、利用者の不安感や孤独感を効果的に軽減するグラデーション制御を実行することができる。
【００４８】
［上位装置３の構成］
次に、図６を用いて、上述した機能を発揮するために、上位装置３が有する機能構成の一例を説明する。図６は、第１の実施形態に係る上位装置の機能構成を説明する図である。図６に示すように、上位装置３は、通信制御部１１、計時部１２、記憶部１３、受付部１５、収集部１６、判定部１７、制御部１８を有する。また、記憶部１３は、グラデーション制御データ１４を記憶する。
【００４９】
［グラデーション制御データ１４の一例］
まず、記憶部１３が記憶するグラデーション制御データ１４に格納される情報について説明する。グラデーション制御データ１４は、グラデーション制御を実行する際に、周辺エリアの照明装置に対して設定される調光度を示す情報が格納されている。以下、図７を用いて、グラデーション制御データ１４に格納される情報の一例について説明する。
【００５０】
図７は、第１の実施形態に係るグラデーション制御データの一例を説明する図である。なお、図７に示す例では、中央エリアの照明装置に設定される調光度と、周辺エリアの照明装置に設定される調光度とを、照明装置の最大出力を１００パーセントとする百分率で記載した。また、図７は、中央エリアの照明装置に設定される調光度「２０」、「３０」、「４０」、「５０」、「６０」、「７０」、「８０」と対応付けて、周辺エリアの照明装置に設定される調光度を対応付けて記憶する例について記載した。なお、以下の説明では、周辺エリアの照明装置に設定される調光度を調光データと記載する場合がある。
【００５１】
図７に示すように、グラデーション制御データ１４には、グラデーション制御を実行する際に、周辺エリアの照明装置に設定される調光度として、時間帯や外光の明るさごとに異なる調光データが格納されている。例えば、図７に示す例では、グラデーション制御データ１４には、時間帯が夕方である際に周辺エリアの照明装置に設定される調光データとして、「０」、「０」、「１０」、「２０」、「３０」、「４０」、「５０」が中央エリアの照明装置に設定される各調光度と対応付けて格納されている。
【００５２】
また、グラデーション制御データ１４には、時間帯が夜間である際に周辺エリアの照明装置に設定される調光データとして、「５」、「１０」、「１５」、「２５」、「３５」、「５０」、「６０」が中央エリアの照明装置に設定される各調光度と対応付けて格納されている。また、グラデーション制御データ１４には、外光の明るさが中程度である際に周辺エリアの照明装置に設定される調光データとして、「０」、「０」、「５」、「１５」、「２０」、「３０」、「３５」が中央エリアの照明装置に設定される各調光度と対応付けて格納されている。また、グラデーション制御データ１４には、外光の明るさが暗い際に周辺エリアの照明装置に設定される調光データとして、「５」、「１０」、「１５」、「２５」、「３５」、「５０」、「６０」が中央エリアの照明装置に設定される各調光度と対応付けて格納されている。
【００５３】
なお、図７に示すグラデーション制御データ１４は、あくまで一例であり、実施形態を限定するものではない。すなわち、グラデーション制御データ１４には、他にも、時刻情報、照度情報、人数情報、レイアウト情報等、照明システム１が設置された場所の情報に応じた調光データが格納されているものとする。また、グラデーション制御データ１４には、例えば、時刻情報と照度情報とに応じた調光データや、時刻情報と照度情報と人数情報とに応じた調光データ等、複数の情報に応じて、効果的にグラデーション制御を行なうための調光データが格納されているものとする。
【００５４】
［上位装置３が有する各部が実行する処理の一例］
図６に戻り、説明を続ける。通信制御部１１は、上位装置３と、端末装置２、操作部４、通信部５、画像センサ７、照度センサ８との間の通信を制御する制御部であり、例えば、インタフェースである。詳細には、通信制御部１１は、端末装置２からレイアウト情報を受信すると、受信したレイアウト情報を収集部１６に出力する。また、通信制御部１１は、操作部４から操作指示を受信すると、受信した操作指示を受付部１５に出力する。また、通信制御部１１は、制御部１８から制御信号を受信すると、受信した制御信号を通信部５に出力する。
【００５５】
また、通信制御部１１は、収集部１６から画像センサ７または照度センサ８の操作信号を受信すると、受信した操作信号を画像センサ７または照度センサ８に出力する。また、通信制御部１１は、画像センサ７から人の有無または人数に関するデータを受信した場合、または、照度センサ８から照度情報を受信した場合は、受信したデータおよび照度情報を収集部１６に出力する。
【００５６】
計時部１２は、照明システム１が設置された場所の時刻を測定する時計である。
【００５７】
受付部１５は、操作部４が利用者から受け付けた照明装置９、１０の操作指示を受信する。かかる場合、受付部１５は、受信した操作指示を制御部１８に対して出力する。
【００５８】
収集部１６は、照明システム１が設置された場所の情報を収集する。例えば、収集部１６は、計時部１２から現時刻を示す時刻情報を収集する。また、収集部１６は、画像センサ７の操作信号を通信制御部１１に出力し、画像センサ７が収集した人数に関するデータを受信する。そして、収集部１６は、受信した人数に関するデータから照明システム１が設置された部屋にいる人の数を示す人数情報を生成する。
【００５９】
また、収集部１６は、照度センサ８の操作信号を通信制御部１１に出力し、照度センサ８から外光の明るさを示す照度情報を収集する。また、収集部１６は、端末装置２からレイアウト情報を収集する。そして、収集部１６は、収集した時刻情報、人数情報、照度情報、レイアウト情報を判定部１７に出力する。
【００６０】
判定部１７は、照明システム１が設置された場所の情報を収集部１６から受信する。そして、判定部１７は、収集部１６から受信した情報に応じて、グラデーション制御を実行するか否かを判定する。また、判定部１７は、グラデーション制御を実行すると判定した場合は、収集部１６から受信した情報に応じて、グラデーション制御データ１４に格納された調光データのうち、どの調光データを使用するか判定する。その後、判定部１７は、各判定結果を制御部１８に通知する。
【００６１】
［判定部１７が実行する処理の一例］
以下、判定部１７が、時刻情報および照度情報に応じて、グラデーション制御を実行するか否か、および、どの調光データを使用するか判定する処理の一例について説明する。なお、以下に説明する判定部１７の判定結果は、あくまで一例であり、実施形態を限定するものではない。すなわち、判定部１７は、任意のポリシーに従って、照明システム１が設置された場所の情報に応じ、グラデーション制御を実行するか否か、および、どの調光データを使用するかを判定することができる。
【００６２】
例えば、判定部１７は、受信した時刻情報が示す時刻が、朝の時間帯、または、昼の時間帯である場合や、照度情報が示す外光の明るさが第１の閾値よりも明るい場合は、グラデーション制御を実行しないと判定する。そして、判定部１７は、グラデーション制御を実行しない旨を制御部１８に通知する。
【００６３】
また、判定部１７は、受信した時刻情報が示す時刻が夕方または夜間の時間帯である場合は、グラデーション制御を実行すると判定し、グラデーション制御を実行する旨を制御部１８に通知する。また、判定部１７は、受信した時刻情報が示す時刻に応じて、夕方の時間帯に周辺エリアの照明装置に設定される調光データ、または、夜間の時間帯に周辺エリアの照明装置に設定される調光データを使用するよう制御部１８に通知する。
【００６４】
また、判定部１７は、受信した時刻情報が示す時刻に係らず、照度情報が示す外光の明るさが第１の閾値よりも暗いが、第１の閾値よりも低い第２の閾値よりも明るい場合は、グラデーション制御を実行すると判定し、グラデーション制御を実行する旨を制御部１８に通知する。また、判定部１７は、外光の明るさが中程度である際に周辺エリアの照明装置に設定される調光データを使用するよう制御部１８に通知する。
【００６５】
また、判定部１７は、照度情報が示す外光の明るさが第２の閾値よりも暗い場合は、グラデーション制御を実行すると判定し、グラデーション制御を実行する旨を制御部１８に通知する。また、判定部１７は、外光の明るさが暗い際に周辺エリアの照明装置に設定される調光データを使用するよう制御部１８に通知する。
【００６６】
［制御部１８が実行する処理の一例］
制御部１８は、照明システム１が設置された場所の情報に応じて、グラデーション制御を実行する。例えば、制御部１８は、判定部１７からグラデーション制御を実行する旨の通知を受信した場合は、以下の処理を実行する。まず、制御部１８は、判定部１７から、グラデーション制御データ１４に格納された調光データのうち、どの調光データを使用するかを示す通知を受信する。また、制御部１８は、受信した通知が示す調光データをグラデーション制御データ１４から読み出す。
【００６７】
また、制御部１８は、受付部１５から点灯又は調光度の変更を指示する制御指示を受信した場合は、受信した制御指示によって制御される照明装置、すなわち、中央エリアの照明装置を判別し、判別した中央エリアの照明装置の周囲に配置された照明装置、すなわち、周辺エリアの照明装置を特定する。また、制御部１８は、グラデーション制御データ１４から読み出した調光データから、受信した制御指示によって中央エリアの照明装置に対し設定される調光度に対応付けられた調光度を特定する。そして、制御部１８は、制御指示に従って、中央エリアの照明装置を制御する制御信号と、周辺エリアの照明装置を特定した調光度に制御する制御信号とを生成し、生成した各制御信号を通信制御部１１に出力する。
【００６８】
例えば、制御部１８は、受信部１５から、照明装置９の調光度を「５０パーセント」に設定する旨の制御指示を受信する。また、制御部１８は、判定部１７からグラデーション制御を実行する旨の通知と、外光の明るさが中程度である際に周辺エリアの照明装置に設定される調光データを使用する旨の通知とを受信する。かかる場合、制御部１８は、照明装置９と隣接する照明装置、例えば、照明装置１０を特定する。次に、制御部１８は、判定部１７から通知された調光データのうち、中央エリアの調光度「５０パーセント」と対応付けられた調光度「１５パーセント」を特定する。そして、制御部１８は、照明装置９の調光度を「５０パーセント」に設定する制御信号を出力するとともに、照明装置１０の調光度を「１５パーセント」に設定する制御信号を出力する。
【００６９】
なお、制御部１８は、上述した処理とは独立して、以下の処理を実行する。まず、制御部１８は、各通信部５、６に対し、照明装置９、１０の点灯状態の問い合わせを行うことで、照明システム１が有する照明装置のうち、点灯中の照明装置とかかる照明装置に設定された調光度とを特定する。次に、制御部１８は、特定した照明装置を中央エリアの照明装置とし、中央エリアの照明装置の周囲に設置された周辺エリアの照明装置を特定する。また、制御部１８は、中央エリアの照明装置に設定された調光度から、周辺エリアの照明装置に設定する調光度を特定する。そして、制御部１８は、特定した周辺エリアの照明装置を、特定した調光度に制御する制御信号を通信制御部１１に出力する。
【００７０】
一方、制御部１８は、受付部１５から消灯を指示する制御指示を受信した場合は、中央エリアの照明装置と周辺エリアの照明装置とを消灯させる制御信号を生成し、生成した制御信号を通信制御部１１に出力する。また、制御部１８は、判定部１７からグラデーション制御を実行しない旨の通知を受信した場合は、受付部１５から受信した制御指示に従って、照明装置を制御する制御信号を生成し、生成した制御信号を通信制御部１１に出力する。
【００７１】
［照明装置９の構成］
次に、図８を用いて、照明装置９の構成例を説明する。図８は、第１の実施形態に係る照明装置の構成例を説明する図である。図８に示すように、照明装置９は、電源制御部２０とＬＥＤ２１とを有する。また、電源制御部２０は、インタフェース回路２２、マイコン２３、制御回路２４、電源回路２５を有する。また、電源回路２５には、ＬＥＤ２１に供給される電力の電源が接続されている。
【００７２】
［インタフェース回路２２］
インタフェース回路２２は、通信部５から受信した制御信号を整流する整流回路を有し、整流回路を用いて整流した制御信号をマイコン２３に出力する。具体的には、インタフェース回路２２は、マイコン２３が制御内容を識別できるようにするため、制御信号を単極側に整流する。
【００７３】
［マイコン２３］
マイコン２３は、予め用意されたプログラムを実行することで、所定の機能を発揮するマイクロコントローラであり、例えば、ＡＳＩＣ（Application  Specific  Integrated  Circuit）やＦＰＧＡ（Field  Programmable  Gate  Array）等の集積回路により実現される。また、マイコン２３は、例えば、ＣＰＵ（Central  Processing  Unit）やＭＰＵ（Micro  Processing  Unit）等によって実現されてもよい。
【００７４】
ここで、マイコン２３は、予め用意されたプログラムを実行することで、以下の機能を発揮する。まず、マイコン２３は、インタフェース回路２２によって整流された信号を受信する。かかる場合、マイコン２３は、所定の制御方式にそって、受信した信号が示す制御内容を導出し、導出した制御内容の実行指示を制御回路２４に出力する。
【００７５】
［制御回路２４］
制御回路２４は、マイコン２３が制御信号から特定した制御内容をＬＥＤ２１に反映させる。例えば、制御回路２４は、ＬＥＤ２１の点灯、消灯、照度の変更、光の色の変更等の制御内容をマイコン２３から受信した場合は、受信した制御内容を反映させるよう電源回路２５を制御することで、ＬＥＤ２１に制御内容を反映させる。
【００７６】
［電源回路２５］
電源回路２５は、制御回路２４による制御に応じて、ＬＥＤ２１に対して供給する電力を変更する回路である。例えば、電源回路２５は、電源から電力の供給を受ける。そして、電源回路２５は、制御回路２４からの制御信号を受信すると、受信した制御信号に従って、電源から供給された電力をＬＥＤ２１に供給する量の制御等を行うことで、ＬＥＤ２１の点灯、消灯、照度の変更、光の色の変更等を行う。
【００７７】
［上位装置３による処理の手順］
次に、図９を用いて、照明システム１が設置された場所の情報を収集し、収集した情報に応じてグラデーション制御を実行する処理の流れについて説明する。図９は、第１の実施形態に係る照明システムが実行する処理の手順を示すフローチャートである。なお、上位装置３は、図９に示す処理を常時、若しくは、所定の時間間隔で実行する。
【００７８】
例えば、照明システム１は、照明システム１が設置された場所の時刻を示す時刻情報を収集する（ステップＳ１０１）。また、照明システム１は、照明システム１が設置された場所の外光の明るさを示す照度情報を収集する（ステップＳ１０２）。また、照明システム１は、照明システム１が設置された場所にいる人の数を示す人数情報を収集する（ステップＳ１０３）。また、照明システム１は、照明システム１が設置された場所の広さを示すレイアウト情報を収集する（ステップＳ１０４）。
【００７９】
そして、照明システム１は、ステップＳ１０１〜Ｓ１０４にて収集した各種情報に応じて、グラデーション制御を実行するか否かを判定する（ステップＳ１０５）。また、照明システム１は、グラデーション制御を実行すると判定した場合は（ステップＳ１０５：Ｙｅｓ）、ステップＳ１０１〜Ｓ１０４にて収集した各種情報に応じて、グラデーション制御データ１４から使用する調光データを選択する（ステップＳ１０６）。
【００８０】
そして、照明システム１は、選択した調光データを用いて、グラデーション制御を実行し（ステップＳ１０７）、処理を終了する。一方、照明システム１は、グラデーション制御を実行しないと判定した場合は（ステップＳ１０５：Ｎｏ）、通常の照明制御を実行し（ステップＳ１０８）、処理を終了する。
【００８１】
［第１の実施形態の効果］
上述したように、照明システム１は、任意の場所を照明する複数の照明装置９、１０と、照明装置９、１０の制御を行う上位装置３とを有する。また、照明システム１は、任意の場所に係る情報を収集する。そして、照明システム１は、点灯を指示された中央エリアの照明装置の周辺に設置された周辺エリアの照明装置を、中央エリアの照明装置の調光度よりも低い調光度で点灯させるグラデーション制御を、収集された情報に応じて実行する。このため、照明システム１は、必要に応じて、グラデーション制御を自動で実行できる。
【００８２】
また、照明システム１は、照明システム１が設置された場所の時刻を示す時刻情報を収集する。そして、照明システム１は、収集した時刻情報に応じて、グラデーション制御を実行する。このため、照明システム１は、タイムスケジュールに応じて、グラデーション制御を自動で実行することができる。
【００８３】
また、照明システム１は、外光の明るさを示す照度情報を収集する。そして、照明システム１は、収集した照度情報に応じて、グラデーション制御を実行する。このため、照明システム１は、外光の明るさに応じて、グラデーション制御を自動で実行できる。
【００８４】
また、照明システム１は、中央エリアの照明装置が設置された領域にいる人の数を示す人数情報を収集する。そして、照明システム１は、収集した人数情報に応じて、グラデーション制御を実行する。このため、照明システム１は、中央エリアの照明装置が設置された領域にいる人の数に応じて、グラデーション制御を自動で実行できる。
【００８５】
また、照明システム１は、中央エリアの照明装置が設置された領域の広さを示すレイアウト情報を収集する。そして、照明システム１は、収集したレイアウト情報に応じて、グラデーション制御を実行する。このため、照明システム１は、照明する領域の広さに応じて、グラデーション制御を自動で実行できる。
【００８６】
また、照明システム１は、収集した情報に応じて、中央エリアの照明装置または周辺エリアの照明装置の調光度を変更する。このため、照明システム１は、照明システム１の設置場所の状態に応じて、利用者の不安感や孤独感を効果的に軽減するグラデーション制御を実行できる。
【００８７】
また、照明システム１は、収集した情報に応じて、周辺エリアの照明装置の数を変更する。このため、照明システム１は、照明システム１の設置場所の状態に応じて、利用者の不安感や孤独感を効果的に軽減するグラデーション制御を実行できる。
【００８８】
（他の実施形態）
上述してきた照明システム１は、上記実施形態以外にも種々の異なる形態にて実施されてよい。そこで、以下では、上記の照明システム１の様々な変形例について説明する。
【００８９】
［処理の実行主体について］
上述した例では、上位装置３が収集部１６、判定部１７、制御部１８を有し、照明システム１が設置された場所の情報を収集し、収集した情報に応じてグラデーション制御を実行する例について記載した。しかしながら、実施形態は、これに限定されるものではない。すなわち、照明システム１は、処理の一部を照明装置９、１０に実行させることで、上述した機能を発揮してもよい。
【００９０】
例えば、上位装置３は、照明システム１が設置された場所の情報を収集し、収集した情報をパラメータとして各照明装置９、１０に対し配布する。そして、各照明装置９、１０は、配布されたパラメータに応じて、グラデーション制御を実行してもよい。
【００９１】
例えば、上位装置３は、収集部１６および判定部１７を有する。かかる場合、収集部１６は、照明システム１が設置された場所の情報を収集する。また、判定部１７は、収集部１６が収集した情報に基づいて、グラデーション制御データ１４に格納された調光データのうち、使用する調光データを特定する。そして、判定部１７は、特定した調光データを各照明装置９、１０に配布する。
【００９２】
一方、照明装置９は、上位装置３から受信した調光データを記憶する。また、照明装置９は、各照明装置９、１０と上位装置３とを接続する信号線を監視し、自装置と隣接する照明装置に対する制御信号を取得する。そして、照明装置９は、自装置と隣接する照明装置に対し、点灯を指示する制御信号を取得した場合は、自装置と隣接する照明装置に対して設定される調光度と対応付けられた調光度を、上位装置３から受信した調光データから特定する。その後、照明装置９は、特定した調光度でＬＥＤ２１を点灯させる。
【００９３】
このように、照明装置９は、上位装置３から受信した調光データを受信し、他の照明装置に対する制御信号と、受信した調光データとに応じて、グラデーション制御を実行することができる。
【００９４】
また、他の例では、照明装置９は、グラデーション制御データ１４を記憶する。また、上位装置３は、収集した情報から使用する調光データを判定し、判定した調光データを各照明装置９、１０に通知する。かかる場合、照明装置９は、上位装置３から通知された調光データをグラデーション制御データ１４から読出し、読み出した調光データを用いてグラデーション制御を実行する。
【００９５】
なお、上述した各処理は、例えば、照明装置９が有するマイコン２３によって実現される。すなわち、マイコン２３は、図６に示す制御部１８と同様の機能を発揮することで、上述した処理を実行してもよい。また、マイコン２３は、グラデーション制御データ１４、判定部１７、制御部１８を有し、上位装置３が収集した情報を受信し、受信した情報に応じて調光データを選択し、選択した調光データにしたがって、グラデーション制御を実行してもよい。
【００９６】
このように、照明システム１は、照明システム１が設置された場所の情報を収集し、収集した情報に応じてグラデーション制御を実行することができるのであれば、各処理をどの装置が実行してもよい。
【００９７】
［グラデーション制御について］
上述した第１の実施形態では、照明システム１は、収集した情報に応じて、周辺エリアの照明装置に設定する調光度や周辺エリアの照明装置の数を変更した。しかしながら、実施形態は、これに限定されるものではない。
【００９８】
例えば、照明システム１は、時間帯や外光の明るさに応じて、周辺エリアの照明装置が発行する光の色を変更してもよい。例えば、照明システム１は、夕方の時間帯には、周辺エリアの照明装置の光の色を昼光色や昼白色に設定し、夜間の時間帯には、周辺エリアの照明装置の光の色を電球色に設定してもよい。また、照明システム１は、周辺エリアの照明装置の光の色を、照度情報、人数情報、レイアウト情報等に応じて変更してもよい。
【００９９】
なお、第１の実施形態では、照明システム１は、時間帯や外光の明るさに応じて、周辺エリアの照度を変更するグラデーション制御、または、周辺エリアの照明装置の数を変更するグラデーション制御を実行した。しかしながら、実施形態は、これに限定されるものではない。例えば、照明システム１は、時間帯や外光の明るさに応じて、周辺エリアの照度を変更しつつ、周辺エリアの照明装置の数を変更してもよい。
【０１００】
また、照明システム１は、グラデーション制御を実行するか否かのみを判定し、時間帯や照度に応じて、周辺エリアの照度の変更や、周辺エリアの照明装置の数の変更を行なわずともよい。すなわち、照明システム１は、点灯する照明装置の周囲の照明装置を所定の調光度に制御するグラデーション制御を実行するか否かを判定し、グラデーション制御を実行すると判定した際に、グラデーション制御を実行してもよい。
【０１０１】
［複数の照度センサを用いた処理］
上述した第１の実施形態では、照明システム１は、照度センサ８を窓の近傍に設置することで、外光の明るさを示す照度情報を収集した。しかしながら、実施形態は、これに限定されるものではない。例えば、照度センサ８の近傍の窓がブラインド等で閉じられた場合や、反射光や照明装置の光が照度センサ８にあたる場合は、照度センサ８が外光の明るさを正確に取得できない場合がある。
【０１０２】
そこで、照明システム１は、それぞれ異なる位置に設置された複数の照度センサを有し、各照度センサが測定した外光の照度に基づいて、グラデーション制御を実行してもよい。例えば、照明システム１は、部屋の内側に設置された照度センサが測定した照度と、部屋の外側や窓の近傍に設置された照度センサが測定した照度との差分に応じて、グラデーション制御を実行してもよい。
【０１０３】
すなわち、ブラインド等が閉められた場合は、窓の近傍に設置された照度センサが測定する照度と、部屋の内側に設置された照度センサが測定する照度との差分が小さくなる。そこで、照明システム１は、窓の近傍に設置された照度センサが測定する照度と、部屋の内側に設置された照度センサが測定する照度との差分が所定の閾値よりも小さく、かつ、窓の近傍に設置された照度センサが測定する照度が所定の閾値よりも暗い場合は、グラデーション制御を実行してもよい。
【０１０４】
また、他の例では、照明システム１は、各照度センサが測定した照度の平均値や、各照度センサが設置された位置等に応じて、グラデーション制御を実行してもよい。このように、照明システム１は、それぞれ異なる位置に設置された複数の照度センサから照度情報を収集し、収集した複数の照度情報に応じて、グラデーション制御を実行する。このため、照明システム１は、より効果的なグラデーション制御を実行することができる。
【０１０５】
［調光データについて］
上述した第１の実施形態では、照明システム１は、グラデーション制御データ１４に格納された調光データを用いて、周辺エリアの照明装置の調光度を設定した。しかしながら、実施形態は、これに限定されるものではない。例えば、上位装置３は、中央エリアの照明装置に設定された調光度、時刻情報、照度情報、人数情報、レイアウト情報等、照明システム１が設置された場所の情報をパラメータとする所定の方程式を用いて、周辺エリアの照明装置に設定される調光度を算出してもよい。
【０１０６】
また、上位装置３は、各種パラメータを収集し、収集したパラメータを各照明装置９、１０に配布する。そして、照明装置９は、受信したパラメータと、隣接する照明装置に設定された調光度から、自身の調光度を算出し、算出した調光度でＬＥＤ２１を光らせてもよい。
【０１０７】
以上、本発明の実施形態を説明したが、実施形態は、例として提示したものであり、発明の範囲を限定することは意図していない。実施形態は、その他の様々な形態で実施されることが可能であり、発明の要旨を逸脱しない範囲で、種々の省略、置き換え、変更を行うことができる。実施形態やその変形は、発明の範囲や要旨に含まれると同様に、特許請求の範囲に記載された発明とその均等の範囲に含まれるものである。
【符号の説明】
【０１０８】
１  照明システム
２  端末装置
３  上位装置
４  操作部
５、６  通信部
７  画像センサ
８  照度センサ
９、１０  照明装置
１１  通信制御部
１２  計時部
１３  記憶部
１４  グラデーション制御データ
１５  受付部
１６  収集部
１７  判定部
１８  制御部
２０  電源制御部
２１  ＬＥＤ
２２  インタフェース回路
２３  マイコン
２４  制御回路
２５  電源回路
【図１】
2015060818.tif 000003
【図６】
2015060818.tif 000004
【図７】
2015060818.tif 000005
【図８】
2015060818.tif 000006
【図９】
2015060818.tif 000007
【図２】
2015060818.tif 000008
【図３】
2015060818.tif 000009
【図４】
2015060818.tif 000010
【図５】
2015060818.tif 000011